【事件の表示】
　平成　１年特許願第１５９０７６号「カラー画像形成装置及びカラー画像処理装置」拒絶査定に対する審判事件［平成　２年　５月２９日出願公開、特開平　２−１４００５７］について、次のとおり審決する。
【結　論】
　本件審判の請求は、成り立たない。
【理　由】
１．出願の経緯、本件発明
　本件出願は、特願昭６３−１５１５４１号および特願昭６３−２１６９４８号に基づき特許法４２条の２第１項の規定による優先権主張をしている出願であり、本件請求項１に係る発明は、
「カラー画像中の黒文字部を良好に再現」する旨を目的・効果とし、
その請求項１に記載された構成により特定される下記のカラー画像形成装置にあるものと認められる。
「（１）形成すべき対象カラー画像中の黒文字部を判別する判別手段、像形成時におけるドット密度が切り換え可能なカラー画像形成手段、前記判別手段の判別に基いて、前記カラー画像中の黒文字部が判別された際には前記黒文字部が判別されない際よりもドットを小さくするとともに該ドットの密度を高くするように前記ドット密度を制御する制御手段とを有することを特徴とするカラー画像形成装置。」
２．刊行物記載発明
　原査定の拒絶の理由に引用された特開昭６２−１８３２６７号公報（以下、「刊行物１」という。）には、
　多階調のデジタル画像信号をパルス幅変調して２値化する画像処理装置に関し、
　従来、「デジタルカラー画像信号を２値化して出力するレーザービームプリンタなどでは、２値化された画像信号を画像形成する際、中間調の階調性を得る為に次の方法を用いている。まず入力したデジタルカラー画像信号を一旦アナログ信号に変換し、このアナログ信号を三角波のような周期的な基準信号と比較してパルス幅変調を行い、２値化信号を発生させている。この際、文字画像のように解像度を重視する画像に対する場合と、写真画像のように中間調の再現性を重視する画像の場合で、基準信号の周期の切り換えることが考えられている。」（第２頁左上欄７行〜同頁右上欄２行）、
「高画質の再生画像を得る」および「階調性及び解像度の高い画像を再現できる画像処理装置を提供する」ことを目的とし、
「第６図は像域判定処理回路２で判定に使用される３×３の画素マトリクスを示したもので、主走査方向に３画素をとり、副走査方向にも３画素とつている。ここで画素６０は注目画素である。即ち、事例においては３画素毎に（１ブロック）、その領域が文字等の線画域か写真等の中間調画像であるかを判定している。」（第４頁右上欄８行〜同頁同欄１４行）、
「デジタル多値データが入力されると、像域判定回路２によってブロック毎に画像の種類が判定される。一方デジタル多値データは、Ｄ／Ａコンバータ２０３によってアナログビデオ信号に変換され、比較器２０５の一方の端子に入力される。ＣＰＵ３は像域判定回路２のブロック毎の判定信号に対応して、カウンタ４のプリセット値を変更する。カウンタ４の出力はＪ−Ｋフリップフロップ５に入力され、デユーテイ５０％のスクリーンクロックとなり、このスクリーンクロックはバッファ２０９，積分回路２１０，バイアス回路２１１により三角波に変換される。像域判定回路２により文字等の解像度重視の画像と判定されると、ＣＰＵ３はカウンタ４に、より小さなプリセット値をセットしてカウンタ４の出力信号７の周期を短くする。一方中間調画像のときは、プリセット値を大きくしてその波長を長くする。またプリセット値の切換えは、像域判定回路２からの判定信号１０，カウンタ４の出力値９及びＪ−Ｋフリップフロップ５のＱ出力８値をモニタして最適のタイミングでなされ、プリセット値はリップルキャリイ信号７によってカウンタ４にロードされる。」（第３頁左上欄４行〜同頁右上欄１０行）、
とする発明が記載されている。
　原査定の拒絶の理由に周知例として引用された特開昭５９−１６１９７５号公報（以下、「刊行物２」という。）には、
　周知事項である「カラー画像中の黒文字部、黒線画部と中間調画像部とを分離し、中間調画像部よりも黒文字部、黒線画部の解像度が高くなるように処理する技術」思想が、
　具体的には、
「例えば地図のような中間調画像に黒い文字が印字されている場合には、文字がはっきりと再現されないことになる。逆に、文字を鮮鋭に再現しようとすると、中間調の再現性が非常に落ちることになる。」（第２頁右上欄１６行〜同頁同欄２０行）、との認識を有し、
「中間調画像を良好に再現し得るのみならず、文字などの黒色部分における鮮鋭度を増すように構成したカラー記録装置を提供すること」を目的とし、その目的を達成するために、
「中間調で再現されるべき部分はディザ法により中間調を再現し、また黒い文字、ライン、ベタなどの黒色部は中間調処理を行わないようにして鮮鋭な文字、ラインなどの再現を行うと共に、各色の重なりによる色の濁りを防止している。」（第２頁左下欄８行〜同頁同欄１２行）、
「各々の色分解光は、ＣＣＤ（電荷結合素子）７，８，９により光電変換したのち、増幅器１０，１１，１２を用いて増幅し、（中略）Ａ／Ｄ変換を行う。」（第２頁右下欄２行〜同頁同欄６行）、
「Ａ／Ｄ変換器１３，１４，１５からの出力値は、第２の比較器群２０，２１，２２において、ディジタルスイッチ２３，２４，２５の設定値と比較される。そして、比較器出力信号５０，５１，５２における値が全て「１」であるとき、その画素を「黒」と判断し、イエロー、マゼンタ、シアンの各２値画素データと同様に、メモリ３３内の黒用メモリに格納しておく。」（第３頁左上欄３行〜同頁同欄１０行）、
「各々の色画像を表わすデータに基づいて所定の濃度以上を有する黒画像を抽出し、その抽出した黒画像に対しては中間調の再現処理を行わないようにしたので、容易な構成で黒文字や黒ラインを鮮鋭に再現することができ」（第３頁左下欄１８行〜同頁右下欄３行）、
として示されている。
　原査定の拒絶の理由に周知例として引用された特開昭６０−１７２８８５号公報（以下、「刊行物３」という。）には、
周知事項である「カラー画像中の黒文字部、黒線画部と中間調画像部とを分離し、中間調画像部よりも黒文字部、黒線画部の解像度が高くなるように処理する技術」思想が、
　具体的には、
「画像を絵、写真等の絵画像と、線、文字等の線画像に判別して絵画像にのみ中間調処理を施し、線画像に対しては単一のレベルの閾値を適用する画像信号処理方法が提案されている。」（第２頁右上欄１０行〜同頁同欄１４行）、との認識を有し、
デジタル画像処理方法の説明として、「カタログ、学術書等のカラーで印刷された原稿では、絵や写真はフルカラーであっても、説明文の文字、グラフやアンダーライン等の線は黒刷りされているのが通常である。また、手書き文字等においても説明文等は黒インク或いは黒鉛筆等で書かれるのが普通である。従って、画素の読取り信号がＲ（Ｒｅｄ），Ｇ（Ｇｒｅｅｎ），Ｂ（Ｂｌｕｅ）の各出力レベルが等量であれば黒情報の線（又は文字）とみなすことができる。即ち、第３図（イ）に示すような原稿中の線画の読取信号が、第４図（イ）に示すような画素信号レベルによって、Ｒ、Ｇ、Ｂの成分のいずれもが出力されるときに、その画像情報を線分として判定し、この場合における閾値は、第４図（ロ）に示すように、一定レベルに設定された閾値（黒信号レベルより高い閾値に設定する）を用いて中間調処理を実施する。これにより第４図（ハ）に示す書き込み信号を得ることができ、元の線分（線又は文字）が忠実に再現され、良好な解像度を得ることができる。なお、カラーの絵（写真）に対しては、読み取ったセル内の信号レベルの和がＲ、Ｇ、Ｂの各々で異なるため、線分とは判定されず、第３図に示すような従来よりの閾値マトリクスが適用されて中間調処理が実施される。」（第２頁左下欄９行〜同頁右下欄１３行）、として示されている。
３．対比・判断
　本件請求項１に係る発明と上記刊行物１記載発明とを対比するに、
刊行物１記載発明の「画像処理装置」は、その機能から見て、本件請求項１に係る発明の「カラー画像形成装置」に対応し、
　刊行物１記載発明の「像域判定回路２」は、文字等の解像度重視の画像と判定するものである点で、本件請求項１に係る発明の「「形成すべき対象カラー画像中の」「文字部を判別する判別手段」」に対応し、
　刊行物１記載発明の”ＣＰＵ３，カウンタ４、インバータ回路１３，フリップフロップ５，バッファ２０９，積分回路２１０，バイアス回路２１１，アンプ２１２および比較器２０５よりなる回路”は、　
  像域判定回路２により文字等の解像度重視の画像と判定されると、ＣＰＵ３はカウンタ４に、より小さなプリセット値をセットしてカウンタ４の出力信号７の周期を短くし、一方中間調画像のときは、プリセット値を大きくしてその波長を長くし、カウンタ４の出力はＪ−Ｋフリップフロップ５に入力され、デユーテイ５０％のスクリーンクロックとなり、このスクリーンクロックはバッファ２０９，積分回路２１０，バイアス回路２１１により三角波の変換され、比較器２０５でアナログビデオ信号を前記三角波によってＰＷＭ変調して出力するものであるので、
実質的に、文字部が判別された際には文字部が判別されない際よりもドットを小さくするとともに該ドットの密度を高くするように前記ドット密度を制御することを示すものといえ、
それゆえ、
本件請求項１に係る発明の「「判別手段の判別に基いて、カラー画像中の」「文字部が判別された際には」「文字部が判別されない際よりもドットを小さくするとともに該ドットの密度を高くするように前記ドット密度を制御する制御手段」」に対応するといえる。
　従って、両者は、
「形成すべき対象カラー画像中の文字部を判別する判別手段、像形成時におけるドット密度が切り換え可能なカラー画像形成手段、前記判別手段の判別に基いて、前記カラー画像中の文字部が判別された際には前記文字部が判別されない際よりもドットを小さくするとともに該ドットの密度を高くするように前記ドット密度を制御する制御手段とを有することを特徴とするカラー画像形成装置」である点で一致し、
（１）判別の対象である文字部が、本件請求項１に係る発明では、黒文字部であるのに対し、上記刊行物１記載発明では文字である点、で相違する。
　相違点について審究するに、カラー画像中の文字部と中間調画像部とを分離し、中間調画像部よりも文字部の解像度が高くなるように処理する際に、文字部を黒文字部とすることは上記刊行物２，３に示されるように周知事項である。してみれば、上記相違点（１）は上記周知事項の単なる適用により成し得ることといえる。
４．むすび
　以上のとおりであるから、本件請求項１に係る発明は、上記刊行物１、２、３記載発明に基づいて当業者が容易に発明をすることができたものであるから、特許法第２９条２項の規定により、特許を受けることができない。